(57)【要約】  ゴルフクラブヘッドはパターに用いられ、フェース面を構成するフェース面部を備えるヘッド本体と、ゴルフクラブシャフトが装着される取付部と、ヘッド本体に設けられる支持部と、支持部と取付部を連結する連結部とを備えるホーゼル部と、フェース面とゴルフクラブシャフトのシャフト軸とのオフセット距離を変えるオフセット調整部とを有し、オフセット調整部は、ホーゼル部の連結部に設けられた、伸縮することによりオフセット距離を変える伸縮機構と、オフセット距離を所定の距離で固定する固定部とを有する。
2019097722.tif 000002
【特許請求の範囲】
【請求項１】
パターに用いられるゴルフクラブヘッドであって、
フェース面を構成するフェース面部を備えるヘッド本体と、
ゴルフクラブシャフトが装着される取付部と、前記ヘッド本体に設けられる支持部と、前記支持部と前記取付部を連結する連結部とを備えるホーゼル部と、
前記フェース面と前記ゴルフクラブシャフトのシャフト軸とのオフセット距離を変えるオフセット調整部とを有し、
前記オフセット調整部は、前記ホーゼル部の前記連結部に設けられた、伸縮することにより前記オフセット距離を変える伸縮機構と、前記オフセット距離を所定の距離で固定する固定部とを有することを特徴とするゴルフクラブヘッド。
【請求項２】
前記オフセット調整部は、前記連結部が前記フェース面から前記ゴルフクラブシャフトの前記シャフト軸の方向に延在しており、前記伸縮機構は、前記連結部を伸縮させる請求項１に記載のゴルフクラブヘッド。
【請求項３】
ライ角を変えるライ角調整部を有する請求項１または２に記載のゴルフクラブヘッド。
【請求項４】
前記ヘッド本体は、上面に半円筒状に張り出した張出部と、前記張出部の両側のそれぞれに設けられた平坦部を備えており、
前記張出部に前記ホーゼル部が設けられ、前記平坦部に、それぞれに調整用錘が取付自在に設けられる請求項１〜３のいずれか１項に記載のゴルフクラブヘッド。
【請求項５】
前記フェース面のロフト角度を変える角度調整部を有する請求項１〜４のいずれか１項に記載のゴルフクラブヘッド。
【請求項６】
前記ヘッド本体の前記フェース面の反対側のバックフェースに、ソールの一部を構成する板状部が設けられ、前記板状部は、前記張出部に対応する領域と前記平坦部に対応する領域では、前記張出部に対応する領域の板厚が薄い請求項４または５に記載のゴルフクラブヘッド。
【請求項７】
前記ホーゼル部は、前記張出部の前記フェース面の裏面側に設けられ、所定の角度回転可能な回転子と、前記回転子に設けられた、ゴルフクラブシャフトを固定するホーゼルを有し、
前記回転子を所定の角度の状態で固定し、特定のライ角とする請求項４〜６のいずれか１項に記載のゴルフクラブヘッド。
【請求項８】
請求項１〜７のいずれか１項に記載のゴルフクラブヘッドを有することを特徴とするゴルフクラブ。
【発明の詳細な説明】
【技術分野】
【０００１】
本発明は、グリーン上のゴルフボールを打撃するパターに用いられるゴルフクラブヘッドおよびゴルフクラブに関し、特に、オフセット距離の調整が容易なゴルフクラブヘッドおよびゴルフクラブに関する。
【背景技術】
【０００２】
ゴルフにおいて、グリーン上で、ゴルフボールをカップに入れるためのゴルフクラブとしてパターが利用されている。
パターに求められる性能としては、ゴルフボールを打った際、ゴルフボールの直進性が高いことが要求される。これにより、使用者であるゴルファーは、自身が想定する軌跡を描くようにゴルフボールを転がすことができる。
例えば、特許文献１には、ゴルフクラブヘッドの慣性モーメントを調整するために好適に用いられる取り外し可能なウェイトが記載されている。
また、ゴルファー毎に体の大きさおよび筋力等が異なり、ゴルファー毎に要求されるライ角およびロフト角が異なる。例えば、特許文献２には、ライ角度が可変のゴルフ用パターが記載されている。特許文献３には、所望のロフトを設定することができるパターが記載されている。【０００３】
上述のように、従来から、パターに関し、ライ角、ロフト角および慣性モーメントのうち、１つは調整することができるものが知られている。
また、特許文献４には、フェースに対するシャフトのオフセット距離が、ホーゼルアダプタと少なくとも１つのブッシングの相対位置を平坦なフェースの平面に平行な平面に略垂直な軸に沿って変化させることによって調整される調整可能なパターが提案されている。
【先行技術文献】
【特許文献】
【０００４】
【特許文献１】特開２００９−２４７９１１号公報
【特許文献２】特開２００９−１３６６３８号公報
【特許文献３】特開２００３−２１０６２９号公報
【特許文献４】特開２０１６−５１２７６１号公報
【発明の概要】
【発明が解決しようとする課題】
【０００５】
上述のように特許文献４では、１つのブッシングの相対位置を変えることにより、オフセット距離を調整可能なことが提案されている。特許文献４のオフセット距離の調整方法は、ブッシングの位置を変える必要があり、オフセット距離の調整が煩雑である。【０００６】
本発明の目的は、前述の従来技術に基づく問題点を解消し、オフセット距離の調整が容易なゴルフクラブヘッドおよびゴルフクラブを提供することにある。
【課題を解決するための手段】
【０００７】
上述の目的を達成するために、本発明は、パターに用いられるゴルフクラブヘッドであって、フェース面を構成するフェース面部を備えるヘッド本体と、ゴルフクラブシャフトが装着される取付部と、ヘッド本体に設けられる支持部と、支持部と取付部を連結する連結部とを備えるホーゼル部と、フェース面とゴルフクラブシャフトのシャフト軸とのオフセット距離を変えるオフセット調整部とを有し、オフセット調整部は、ホーゼル部の連結部に設けられた、伸縮することによりオフセット距離を変える伸縮機構と、オフセット距離を所定の距離で固定する固定部とを有することを特徴とするゴルフクラブヘッドを提供するものである。【０００８】
オフセット調整部は、連結部がフェース面からゴルフクラブシャフトのシャフト軸の方向に延在しており、伸縮機構は、連結部を伸縮させることが好ましい。
ライ角を変えるライ角調整部を有することが好ましい。
ヘッド本体は、上面に半円筒状に張り出した張出部と、張出部の両側のそれぞれに設けられた平坦部を備えており、張出部にホーゼル部が設けられ、平坦部に、それぞれに調整用錘が取付自在に設けられることが好ましい。
フェース面のロフト角度を変える角度調整部を有することが好ましい。【０００９】
ヘッド本体のフェース面の反対側のバックフェースに、ソールの一部を構成する板状部が設けられ、板状部は、張出部に対応する領域と平坦部に対応する領域では、張出部に対応する領域の板厚が薄いことが好ましい。
ホーゼル部は、張出部のフェース面の裏面側に設けられ、所定の角度回転可能な回転子と、回転子に設けられた、ゴルフクラブシャフトを固定するホーゼルを有し、回転子を所定の角度の状態で固定し、特定のライ角とすることが好ましい。【００１０】
本発明は、上述の本発明のゴルフクラブヘッドを有することを特徴とするゴルフクラブを提供するものである。
【発明の効果】
【００１１】
本発明によれば、オフセット距離の調整が容易なゴルフクラブヘッドおよびゴルフクラブを得ることができる。
【図面の簡単な説明】
【００１２】
【図１】本発明の実施形態のゴルフクラブを示す模式図である。
【図２】本発明の実施形態のゴルフクラブのゴルフクラブヘッドの第１の例を示す斜視図である。
【図３】本発明の実施形態のゴルフクラブのゴルフクラブヘッドの第１の例を示す側面図である。
【図４】本発明の実施形態のゴルフクラブのゴルフクラブヘッドの第１の例を示す模式的斜視図である。
【図５】本発明の実施形態のゴルフクラブのゴルフクラブヘッドの第１の例のホーゼル部を示す模式的斜視図である。
【図６】本発明の実施形態のゴルフクラブのゴルフクラブヘッドのオフセット調整部の第１の例を示す模式的斜視図である。
【図７】（ａ）は本発明の実施形態のゴルフクラブのゴルフクラブヘッドのオフセット調整部の第１の例の動作を説明するための模式図であり、（ｂ）は本発明の実施形態のゴルフクラブのゴルフクラブヘッドのオフセット調整部の第１の例の動作を説明するための模式図である。
【図８】本発明の実施形態のゴルフクラブのゴルフクラブヘッドの第１の例の蓋を示す模式的平面図である。
【図９】本発明の実施形態のゴルフクラブのゴルフクラブヘッドの第１の例のホーゼル部を示す模式的平面図である。
【図１０】（ａ）は本発明の実施形態のゴルフクラブのゴルフクラブヘッドのオフセット調整部の第２の例を示す模式的分解斜視図であり、（ｂ）は本発明の実施形態のゴルフクラブのゴルフクラブヘッドのオフセット調整部の第２の例を示す模式的斜視図である。
【図１１】（ａ）は本発明の実施形態のゴルフクラブのゴルフクラブヘッドのオフセット調整部の第３の例を示す模式的分解斜視図であり、（ｂ）は本発明の実施形態のゴルフクラブのゴルフクラブヘッドのオフセット調整部の第３の例を示す模式的斜視図である。
【図１２】（ａ）は本発明の実施形態のゴルフクラブのゴルフクラブヘッドのオフセット調整部の第４の例を示す模式的分解斜視図であり、（ｂ）は本発明の実施形態のゴルフクラブのゴルフクラブヘッドのオフセット調整部の第４の例を示す模式的斜視図である。
【図１３】（ａ）は本発明の実施形態のゴルフクラブのゴルフクラブヘッドのオフセット調整部の第５の例を示す模式的分解斜視図であり、（ｂ）は本発明の実施形態のゴルフクラブのゴルフクラブヘッドのオフセット調整部の第５の例を示す模式的斜視図である。
【図１４】本発明の実施形態のゴルフクラブのゴルフクラブヘッドの第２の例を示す側面図である。
【図１５】本発明の実施形態のゴルフクラブのゴルフクラブヘッドの第２の例を示す分解斜視図である。
【図１６】本発明の実施形態のゴルフクラブのゴルフクラブヘッドの第３の例を示す側面図である。
【図１７】本発明の実施形態のゴルフクラブのゴルフクラブヘッドの第３の例を示す分解斜視図である。
【図１８】本発明の実施形態のゴルフクラブのゴルフクラブヘッドの第４の例を示す側面図である。
【図１９】本発明の実施形態のゴルフクラブのゴルフクラブヘッドの第５の例を示す斜視図である。
【図２０】本発明の実施形態のゴルフクラブのゴルフクラブシャフトを示す模式的分解斜視図である。
【図２１】本発明の実施形態のゴルフクラブのゴルフクラブシャフトを示す模式的斜視図である。
【発明を実施するための形態】
【００１３】
以下に、添付の図面に示す好適実施形態に基づいて、本発明のゴルフクラブヘッドおよびゴルフクラブを詳細に説明する。
（ゴルフクラブヘッドの第１の例）
図１は本発明の実施形態のゴルフクラブを示す模式図であり、図２は本発明の実施形態のゴルフクラブのゴルフクラブヘッドの第１の例を示す斜視図であり、図３は本発明の実施形態のゴルフクラブのゴルフクラブヘッドの第１の例を示す側面図である。図４は本発明の実施形態のゴルフクラブのゴルフクラブヘッドの第１の例を示す模式的斜視図である。
【００１４】
図１に示すゴルフクラブ１０は、一般的にパターと呼ばれるものであり、ゴルフクラブヘッド１２とゴルフクラブシャフト１４を有する。ゴルフクラブシャフト１４にはグリップ１５が取り付けられている。ゴルフクラブ１０は、マレットタイプと呼ばれるものである。
図１に示すゴルフクラブ１０は、ライ角γが設定された角度となるように水平面Ｂ上にソール３７を接してゴルフクラブヘッド１２が配置されている。
なお、ライ角γとは、ゴルフクラブシャフト１４のシャフト軸Ｓと水平面Ｂとで作られるヒール側の角度のことをいう。
【００１５】
ゴルフクラブヘッド１２は、フェース面３１を構成するフェース面部３０を備えるヘッド本体２０と、ヘッド本体２０に設けられ、ゴルフクラブシャフト１４が装着されるホーゼル部２２とを有する。
ゴルフクラブヘッド１２は、さらにヘッド本体２０に設けられる調整用錘２４を有する。また、ゴルフクラブヘッド１２は、ライ角γを変えるライ角調整部と、フェース面３１とゴルフクラブシャフト１４のシャフト軸Ｓとのオフセット距離を変えるオフセット調整部８０とを有する。
【００１６】
図２に示すように、ヘッド本体２０は、上面に半円筒状に張り出した張出部３２と、張出部３２の両側のそれぞれに設けられた平坦部３４を備えている。張出部３２にホーゼル部２２が設けられる。ヘッド本体２０の一方の平坦部３４でトウが構成され、他方の平坦部３４でヒールが構成される。
ヘッド本体２０およびフェース面部３０は、例えば、ステンレス鋼、銅、銅合金、アルミニウム、アルミニウム合金、チタン、チタン合金ならびにこれらを組み合わせたもの等で構成される。
【００１７】
張出部３２を設けることにより、フェース面３１の面積を大きくすることができる。これにより、スイートスポットを広くすることができ、かつスイートスポットの中心位置を水平面Ｂから高くすることができる。このため、ゴルフボールを打撃する際に、ソール３７の位置を気にすることなく、ゴルフボールの中心とスイートスポットの中心位置とを近づけることができる。これにより、打撃されたゴルフボールが跳ねることが抑制され、ゴルフボールが順回転で回転し、打撃した際のゴルフボールの直進性が向上し、打球の方向性が良好になり、打球方向を合わせやすい。さらには、良い打感を得ることができる。
【００１８】
平坦部３４に、それぞれに調整用錘２４（図１〜図３参照）が設けられる。すなわち、ヘッド本体２０の両側に調整用錘２４が設けられる。
具体的には、平坦部３４の上面である平坦面３４ｃに、調整用錘２４を設置する凹部３５が形成されている。凹部３５に調整用錘２４を設置し、例えば、ねじを用いて調整用錘２４を固定する。なお、調整用錘２４の固定方法は、特に限定されるものではなく、調整用錘２４が磁性体であれば、磁石を用いる等、磁力を用いて凹部３５に固定してもよい。
【００１９】
調整用錘２４は、例えば、ステンレス鋼、銅、銅合金、アルミニウム、アルミニウム合金、チタン、チタン合金、およびタングステン等で構成される。調整用錘２４の質量に応じて、上述の材質が適宜利用される。また、調整用錘２４の数は、ゴルフクラブヘッド１２の慣性モーメントの大きさに応じて適宜決定されるものである。調整用錘２４は、例えば、総質量で６０グラムである。この場合、片側の平坦部３４に３０グラムずつ配置される。
また、凹部３５の形状および調整用錘２４の形状は、特に限定されるものではなく、平坦部３４の平坦面３４ｃの形状等により適宜決定されるものである。また、調整用錘２４の形状は凹部３５の形状および調整用錘２４の質量等に応じて適宜決定されるものである。
【００２０】
図３に示すように、ヘッド本体２０は、ヘッド本体２０のフェース面３１の反対側のバックフェース３１ｂに、ソール３７の一部を構成する板状部３８が設けられている。ヘッド本体２０と板状部３８は一体である。
図４に示すように板状部３８は、張出部３２に対応する領域３８ａと平坦部３４に対応する領域３８ｂでは、張出部３２に対応する領域３８ａの板厚が薄い。すなわち、平坦部３４に対応する領域３８ｂの板厚が相対的に厚い。このように、平坦部３４に対応する領域３８ｂを相対的に厚くして、相対的に重くすることにより、ゴルフクラブヘッド１２の慣性モーメントを大きくすることができ、打撃した際のゴルフボールの直進性を高めることができる。また、フェース面３１の中心を外して、ゴルフボールを打撃しても高い直進性が得られ、ゴルフボールの打球の方向性が優れる。
慣性モーメントとは、ゴルフクラブヘッド１２の重心（図示せず）を通り水平面Ｂに直交する直線（図示せず）を回転軸とする回転軸回りの慣性モーメントのことである。
【００２１】
図４に示すように、張出部３２の裏面３２ｂに、張出部３２の周囲に沿って壁部３２ａが設けられている。壁部３２ａは、張出部３２の頂部を含め、一部に設けられていない。また、壁部３２ａには、蓋２５（図２参照）を取り付けるためのめねじ部３２ｅが設けられている。ねじ９９が蓋２５に設けられた穴２７を通り、めねじ部３２ｅに螺合されて蓋２５が張出部３２に固定される。
張出部３２の裏面３２ｂに垂直な軸３３が設けられている。壁部３２ａで囲まれた領域３２ｃにホーゼル部２２が設けられる。なお、図４において、調整用錘２４（図１〜図３参照）の図示は省略している。
【００２２】
図５に示すように、ホーゼル部２２は、回転子４０と、回転子４０に設けられたホーゼル４１を有する。ホーゼル４１はゴルフクラブシャフト１４を固定するものである。
回転子４０は、外形が壁部３２ａ（図４参照）で囲まれた領域３２ｃ（図４参照）と相似であり、外形が半円筒状である。回転子４０には、軸３３（図４参照）が挿通される穴４０ａが設けられている。
回転子４０の穴４０ａに軸３３が挿通された状態で、回転子４０は軸３３を中心に回転することができる。回転子４０の回転は、ホーゼル４１が壁部３２ａの縁３２ｄ（図４参照）に当ることにより規制される。なお、回転子４０は取り外しができ、交換できる。直線状の円筒部材で構成されたホーゼル４１の軸線（図示せず）が、例えば、穴４０ａをフェース面３１側から見た場合の穴４０ａの中心を通る位置に、ホーゼル４１が設けられている。
【００２３】
回転子４０が回転することにより、ライ角γ（図１参照）が変わる。回転子４０を所定の角度回転させた状態で固定することにより、特定のライ角γとすることができる。例えば、回転子４０が１６°回転できるように壁部３２ａが設けられている。この場合、ライ角γは、例えば、７２°に対して８°の範囲、すなわち、ライ角γを６４°〜８０°とすることができる。回転子４０が回転する回転量は、張出部３２（図４参照）の大きさにより、ある程度の範囲が決まる。しかしながら、回転子４０が回転する回転量は、上述の１６°に限定されるものではなく、ライ角γを設定する範囲、および張出部３２の大きさ等に応じて適宜決定されるものである。ライ角γはルール上８０°が上限であるため、調整範囲は８０°超えないことが好ましい。
【００２４】
回転子４０の固定方法は、特に限定されるものではなく、例えば、ソール３７（図３参照）から領域３２ｃ（図４参照）に貫通するねじ穴３９（図３参照）を設け、このねじ穴３９に固定ねじ８９を螺合して、固定ねじ８９で回転子４０を下から押して固定する。
壁部３２ａとともに領域３２ｃを囲む蓋２５（図３参照）が設けられる。蓋２５により、回転子４０が領域３２ｃ内に収納される。蓋２５は、例えば、ねじで壁部３２ａに固定される。
ホーゼル部２２、壁部３２ａ、軸３３、および固定ねじ８９等により、ライ角調整部が構成される。
【００２５】
図５に示すようにホーゼル部２２は、ホーゼル４１が直線状ではなく屈曲している。ホーゼル４１は、ゴルフクラブシャフト１４が装着される取付部４８ｃと、ヘッド本体２０に設けられる支持部４８ａと、支持部４８ａと取付部４８ｃを連結する連結部４８ｂとを備える。例えば、支持部４８ａは回転子４０に接続されている。連結部４８ｂはフェース面３１（図３参照）側に突出している。取付部４８ｃにはゴルフクラブシャフト１４が接続される穴部４８ｄが設けられている。例えば、連結部４８ｂにオフセット調整部８０が設けられており、オフセット調整部８０については後に詳細に説明する。
なお、ホーゼル４１を用いた場合、上述のホーゼル４１に比してゴルフクラブシャフト１４（図１参照）の取付け位置がフェース面３１から突出した位置になる。ホーゼル４１の連結部４８ｂの長さを変えることにより、オフセット距離を変えることができる。
【００２６】
図５に示すホーゼル４１の構成とすることにより、ゴルフボールの打撃時に、フェース面３１（図１参照）のセンターを外しても、ゴルフクラブシャフト１４（図１参照）の回転軸（シャフト軸Ｓ（図１参照））上に、フェース面３１がないため、フェース面３１の傾きのズレが生じにくい。このため、ゴルフボールを安定して打つことができる。
オフセット距離とは、図３に示すように、フェース面３１の下端３１ｃからシャフト軸Ｓ迄の、水平面Ｂに平行な方向における距離Ｆのことである。オフセット距離が長いと、ゴルフクラブシャフト１４がフェース面３１から離れることになる。
【００２７】
ゴルフクラブヘッド１２のロフト角度θ（図３参照）については、例えば、昇峰企業社製の高爾夫球頭測度台、ゴルフギャレーヂ社製のゴルフクラブアングル測定器、ゴルフスミス社製のゴルフクラブゲージ等、公知の測定器により測定される。なお、ロフト角度θの測定器は、公知のものであれば良く、本発明において、特に限定されるものではない。
以上のように、ゴルフクラブ１０およびゴルフクラブヘッド１２は、ライ角γ、ロフト角度θ、オフセット距離および慣性モーメントを、それぞれ独立して個別に調整することができる。
【００２８】
次に、オフセット調整部について説明する。
図６は本発明の実施形態のゴルフクラブのゴルフクラブヘッドのオフセット調整部の第１の例を示す模式的斜視図である。図７（ａ）は本発明の実施形態のゴルフクラブのゴルフクラブヘッドのオフセット調整部の第１の例の動作を説明するための模式図であり、図７（ｂ）は本発明の実施形態のゴルフクラブのゴルフクラブヘッドのオフセット調整部の第１の例の動作を説明するための模式図である。
【００２９】
オフセット調整部８０は、ホーゼル部２２の連結部４８ｂに設けられた、伸縮することによりオフセット距離を変える伸縮機構と、オフセット距離を所定の距離で固定する固定部とを有する。
オフセット調整部８０は、図６に示すように、支持部４８ａと、連結部４８ｂを構成する第１部材８２とが軸線を直角にして接続されている。取付部４８ｃと、連結部４８ｂを構成する第２部材８４とが軸線を直角にして接続されている。
第１部材８２には、ばね部材８８が挿入され、かつねじ部材８６が螺合されるめねじ部８３が設けられている。めねじ部８３は段付き穴構造であり、ばね部材８８が挿入される部分にはめねじが形成されておらず、めねじが形成される領域よりも開口径が大きく形成されている。
【００３０】
第２部材８４には、第１部材８２が配置される開口部８５が設けられている。支持部４８ａには開口部８５に連通する穴８７が設けられている。穴８７にねじ部材８６が挿入されて、めねじ部８３のめねじに螺合される。
また、第１部材８２と第２部材８４とを付勢するばね部材８８を有する。ばね部材８８は、上述のめねじ部８３に挿入されて、第１部材８２と第２部材８４とを付勢する。ばね部材８８により第１部材８２と第２部材８４とのがたつきが抑制される。ばね部材８８にねじ部材８６が挿通されて、めねじ部８３のめねじに螺合される。
【００３１】
ねじ部材８６により、第１部材８２と第２部材８４とが固定され、かつ第１部材８２と第２部材８４との相対的な位置を変えることができる。ねじ部材８６が固定部として機能する。
第１部材８２と第２部材８４とねじ部材８６とばね部材８８とで伸縮機構が構成される。ねじ部材８６を回転させることにより、第１部材８２と第２部材８４との相対的な位置を連続的に変えることができ、第１部材８２と第２部材８４とを近づけたり、第１部材８２と第２部材８４とを離したりすることができる。オフセット調整部８０では、連結部４８ｂを伸縮させることができる。
【００３２】
図７（ａ）は本発明の実施形態のゴルフクラブのゴルフクラブヘッドのオフセット調整部の第１の例の動作を説明するための模式図であり、（ｂ）は本発明の実施形態のゴルフクラブのゴルフクラブヘッドのオフセット調整部の第１の例の動作を説明するための模式図である。
図７（ａ）は第１部材８２と第２部材８４とを最接近させた状態を示しており、オフセット距離が最も短い状態を示す。図７（ｂ）は第１部材８２と第２部材８４とを最離間させて状態を示しており、オフセット距離が最も長い状態を示す。
ねじ部材８６を回転させることにより、図７（ａ）に示す状態から、図７（ｂ）に示す状態まで連続して変えることができる。例えば、第１部材８２に目盛を設けることにより、オフセット距離を正確に調整することができる。
図６に示すオフセット調整部８０では、第２部材８４側からねじ部材８６を設ける構成としたが、これに限定されるものではない。例えば、第１部材８２と第２部材８４とを構成を入れ替えて、第１部材８２に開口部８５と穴８７を設ける構成としてもよい。
【００３３】
上述のゴルフクラブヘッド１２において、図８に示す蓋２５のように、特定のライ角γ（図１参照）を示す溝２５ａ、２５ｂ、２５ｃを設けた構成でもよい。この場合、ホーゼル部２２は、図９に示すようにホーゼル４１に、上述の特定のライ角γを示す溝２５ａ、２５ｂ、２５ｃと位置を合わせるための線４６が設けられている。これにより、上述のホーゼル４１に設けられた線４６と、上述の特定のライ角γを示す溝２５ａ、２５ｂ、２５ｃとを合わせることで、簡単にライ角γを特定の角度にすることができる。例えば、溝２５ａはライ角γが６５°を示す目印であり、溝２５ｂはライ角γが７２°を示す目印であり、溝２５ｃはライ角γが７７°を示す目印である。また、例えば、溝２５ａ、２５ｂ、２５ｃを予め定められた色に着色しておくことにより、色によりライ角γがわかるため、ライ角γの調整をより容易に行うことができる。
ライ角γの設定に利用されるものは上述の溝に限定されるものではなく、目印となるものであればよく、例えば、蓋２５に、特定のライ角γを示す線を、ライ角γ毎に設ける構成でもよい。この場合も、線について、予め色を決めておくことにより、ライ角γの調整をより容易に行うことができる。
なお、図８は本発明の実施形態のゴルフクラブのゴルフクラブヘッドの第１の例の蓋を示す模式的平面図であり、図９は本発明の実施形態のゴルフクラブのゴルフクラブヘッドの第１の例のホーゼル部を示す模式的平面図である。
【００３４】
また、上述のゴルフクラブヘッド１２では、回転子４０に対するホーゼル４１を取り付ける位置を変えることにより、右打ち用または左打ち用とすることができる。回転子４０は、上述のように取り外しできるものであり、回転子４０を交換することにより、１つのゴルフクラブにおいて右打ち用または左打ち用に、容易に変更することができる。
ホーゼル部２２では、ホーゼル４１の回転子４０に対する取り付け位置を変えたものを用意することにより、１つのゴルフクラブにおいて右打ち用または左打ち用に、容易に変更することができる。１つのゴルフクラブにおいて右打ち用または左打ち用とするとき、蓋２５に特定のライ角γ（図１参照）を示す線２５ａ、２５ｂ、２５ｃがある構成の場合（図８参照）、右打ち用または左打ち用として、ホーゼル４１の位置に合わせて、線２５ａ、２５ｂ、２５ｃを設ける位置を変更したものを用意する。
【００３５】
オフセット調整部８０は、図６に示す構成に限定されるものではなく、他の構成としてもよい。以下、オフセット調整部の第２の例〜第５の例について説明する。なお、以下に示すオフセット調整部の第２の例〜第５の例において、図５および図６に示すオフセット調整部８０と同一構成物には同一符号を付して、その詳細な説明は省略する。
まず、オフセット調整部の第２の例について説明する。
図１０（ａ）は本発明の実施形態のゴルフクラブのゴルフクラブヘッドのオフセット調整部の第２の例を示す模式的分解斜視図であり、図１０（ｂ）は本発明の実施形態のゴルフクラブのゴルフクラブヘッドのオフセット調整部の第２の例を示す模式的斜視図である。
【００３６】
図１０（ａ）および図１０（ｂ）に示すオフセット調整部８０は、図６に示すオフセット調整部８０に比して、ばね部材８８を設けない点が異なる。第１部材８２に、上下方向に貫通し、かつ第１部材８２の長さ方向に伸びた穴９０が形成されている。第２部材８４には、左右の壁面に、開口部８５に貫通したねじ穴９１が形成されている。また、上下の壁面に、開口部８５に貫通した穴９２が形成されている。穴９２は、第１部材８２の穴９０と連通する。ねじ穴９１にねじ９３が螺合されて第１部材８２と第２部材８４とを固定する。第１部材８２と第２部材８４とにより連結部４８ｂが構成される。
図１０（ｂ）に示すように、第２部材８４の穴９２（図１０（ａ）参照）と第１部材８２の穴９０（図１０（ａ）参照）とにボルト９５が通されて、ボルト９５とナット９６とにより第１部材８２と第２部材８４とが固定される。
【００３７】
穴９０は、第１部材８２の長さ方向に伸びているため、第１部材８２と第２部材８４との位置を変えてボルト９５とナット９６により第１部材８２と第２部材８４とを固定することができる。また、ねじ穴９１にねじ９３を螺合して第１部材８２と第２部材８４とを固定する。これにより、オフセット距離を調整することができる。この場合、例えば、第１部材８２の左右のいずれかの面に目盛を設けることにより、オフセット距離を正確に調整することができる。
また、ねじ穴９１と穴９２とを設ける位置は、特に限定されるものではなく、第２部材８４の同一周面上にあってもよい。
なお、オフセット調整部８０の第２の例では、第１部材８２と第２部材８４とボルト９５とナット９６とで伸縮機構が構成され、ボルト９５とナット９６と、ねじ９３とにより固定部が構成される。
【００３８】
次に、オフセット調整部の第３の例について説明する。
図１１（ａ）は本発明の実施形態のゴルフクラブのゴルフクラブヘッドのオフセット調整部の第３の例を示す模式的分解斜視図であり、図１１（ｂ）は本発明の実施形態のゴルフクラブのゴルフクラブヘッドのオフセット調整部の第３の例を示す模式的斜視図である。
図１１（ａ）および図１１（ｂ）に示すオフセット調整部８０は、図６に示すオフセット調整部８０に比して、ばね部材８８を設けない点が異なる。第１部材８２には何も形成されていない。第２部材８４には左右の壁面に、開口部８５に貫通したねじ穴９１が形成されている。また、上下の壁面に、開口部８５に貫通したねじ穴９７が形成されている。ねじ穴９１にねじ９３を螺合し、ねじ穴９７にねじ９８を螺合して第１部材８２と第２部材８４とを固定する。
第１部材８２と第２部材８４との位置を変えて、図１１（ｂ）に示すようにねじ９３とねじ９８とにより第１部材８２と第２部材８４とを固定することができる。これにより、オフセット距離を調整することができる。この場合、例えば、第１部材８２に目盛を設けることにより、オフセット距離を正確に調整することができる。
なお、オフセット調整部８０の第３の例では、第１部材８２と第２部材８４とねじ９３とねじ９８とで伸縮機構が構成され、ねじ９３とねじ９８により固定部が構成される。
【００３９】
次に、オフセット調整部の第４の例について説明する。
図１２（ａ）は本発明の実施形態のゴルフクラブのゴルフクラブヘッドのオフセット調整部の第４の例を示す模式的分解斜視図であり、図１２（ｂ）は本発明の実施形態のゴルフクラブのゴルフクラブヘッドのオフセット調整部の第４の例を示す模式的斜視図である。
図１２（ａ）および図１２（ｂ）に示すオフセット調整部８０は、図６に示すオフセット調整部８０に比して、ばね部材８８を設けない点が異なる。第１部材８２はレール部材で構成されており、第１部材８２の長手方向に伸びる第１溝１００と第２溝１０１とを有する。第１溝１００と第２溝１０１との間の基部１０２には、第１部材８２の長手方向に伸びる穴１０３が形成されている。
第２部材８４は、第１溝１００に嵌め込まれる第１ガイド１１０と、第２溝１０１に嵌め込まれる第２ガイド１１１とを有する。第１ガイド１１０は第１溝１００の形状と略同じ形状であり、第２ガイド１１１は第２溝１０１の形状と略同じ形状である。
【００４０】
第１溝１００は、後述のボルト１０４が螺合される第１ガイド１１０が嵌め込まれるため、第２溝１０１よりも深いことが好ましい。また、第１溝１００は第２溝１０１よりも深いことから、第１溝１００に合わせて第１ガイド１１０は第２ガイド１１１よりも厚いことが好ましい。
第１ガイド１１０には、ねじ穴１１２が設けられている。第２ガイド１１１には、ねじ穴１１２に対応する位置に穴１１３が設けられている。
【００４１】
図１２（ｂ）に示すように、第２部材８４の第１ガイド１１０を第１溝１００に嵌め込み、第２ガイド１１１を第２溝１０１に嵌め込んだ状態で、第２部材８４の穴１１３、および第１部材８２の長手方向に伸びる穴１０３に、ボルト１０４を通して、第２部材８４の第１ガイド１１０のねじ穴１１２にボルト１０４を螺合して、第１部材８２と第２部材８４とを固定する。第１部材８２の穴１０３は長手方向に伸びているため、第１部材８２と第２部材８４との位置を変えて、ボルト１０４により第１部材８２と第２部材８４とを固定することができる。これにより、オフセット距離を調整することができる。この場合、例えば、第１部材８２に目盛を設けることにより、オフセット距離を正確に調整することができる。
【００４２】
また、第１ガイド１１０にねじ穴１１２を設けることにより、ボルト１０４に対してナットを不要にでき、オフセット距離の調整の際に、ナットを押さえることが不要になり、作業性が良くなる。さらにはナットを押さえることが不要であるため工具も、ボルト１０４を回すためのレンチ等の１種類の工具だけでオフセット距離を調整することができる。
なお、オフセット調整部８０の第４の例では、第１部材８２と第２部材８４と第１部材８２の長手方向に伸びる穴１０３と、ボルト１０４とねじ穴１１２とで伸縮機構が構成され、ボルト１０４とねじ穴１１２により固定部が構成される。
【００４３】
次に、オフセット調整部の第５の例について説明する。
図１３（ａ）は本発明の実施形態のゴルフクラブのゴルフクラブヘッドのオフセット調整部の第５の例を示す模式的分解斜視図であり、図１３（ｂ）は本発明の実施形態のゴルフクラブのゴルフクラブヘッドのオフセット調整部の第５の例を示す模式的斜視図である。
図１３（ａ）および図１３（ｂ）に示すオフセット調整部８０は、図１２（ａ）および図１２（ｂ）に示すオフセット調整部８０に比して、第２部材８４のねじ穴１１２に代ええ、ナット１１４が固定して設けられている点が異なり、それ以外の構成は同じである。
【００４４】
図１３（ｂ）に示すように、第２部材８４の穴１１３、および第１部材８２の長手方向に伸びる穴１０３に、ボルト１０４を通して、第２部材８４のナット１１４にボルト１０４を螺合して、第１部材８２と第２部材８４とを固定する。第１部材８２の穴１０３は長手方向に伸びているため、第１部材８２と第２部材８４との位置を変えて、ボルト１０４とナット１１４とにより第１部材８２と第２部材８４とを固定することができる。これにより、オフセット距離を調整することができる。この場合、例えば、第１部材８２に目盛を設けることにより、オフセット距離を正確に調整することができる。
【００４５】
また、第１ガイド１１０にナット１１４を固定して設けることにより、オフセット距離の調整の際に、ナットを押さえることが不要になり、作業性が良くなる。さらにはナットを押さえることが不要であるため工具も、ボルト１０４を回すためのレンチ等の１種類の工具だけでオフセット距離を調整することができる。
なお、オフセット調整部８０の第５の例では、第１部材８２と第２部材８４と第１部材８２の長手方向に伸びる穴１０３と、ボルト１０４とナット１１４とで伸縮機構が構成され、ボルト１０４とナット１１４により固定部が構成される。
【００４６】
図１２（ａ）および図１２（ｂ）に示すオフセット調整部８０および図１３（ａ）および図１３（ｂ）に示すオフセット調整部８０では、溝の断面形状が溝の側面が平行な四角であるが、これに限定されるものではなく、溝の断面形状は四角以外の多角形でもよい。また、例えば、溝の断面形状は、第１ガイド１１０および第２ガイド１１１が溝から外れにくくするために台形状でもよい。台形状の場合、基部１０２側の方が狭い形状であることが好ましい。
【００４７】
上述の第１の例〜第５の例のオフセット調整部８０は、いずれも第１部材８２および第２部材８４を、例えば、回転子４０と同じ材料で構成することができるが、これに限定されるものではない。また、第１部材８２は回転子４０に設けられるため、成形性の観点から第１部材８２は回転子４０と一体形成することが好ましい。この場合、第１部材８２と回転子４０は同じ材料で構成される。
第１部材８２および第２部材８４は、同じ材料で構成してもよいが、オフセット調整部８０の強度、およびゴルフクラブヘッドの質量等に応じた材料を適宜利用可能である。第１部材８２および第２部材８４には、例えば、アルミニウム合金、鉄、鋼、ステンレス鋼、銅合金等の金属系の材料、チタン合金、またはポリカーボネート等の樹脂系の材料を用いることができる。
オフセット調整部８０を軽量化する観点からは、ステンレス鋼等の鉄系の材料よりも密度が小さい、ジュラルミン等のアルミニウム合金、またはポリカーボネートを用いることが好ましい。
また、ばね、ねじ、ボルト、ナット等は、オフセット調整部８０の強度、およびゴルフクラブヘッドの質量等に応じた材料を適宜利用することができる。
【００４８】
（ゴルフクラブヘッドの第２の例）
ゴルフクラブヘッド１２は、上述の構成に限定されるものではない。次に、ゴルフクラブヘッドの第２の例について説明する。
図１４は本発明の実施形態のゴルフクラブのゴルフクラブヘッドの第２の例を示す斜視図であり、図１５は本発明の実施形態のゴルフクラブのゴルフクラブヘッドの第２の例を示す分解斜視図である。
なお、図１４および図１５において、図１〜図５に示すゴルフクラブ１０と同一構成物には同一符号を付して、その詳細な説明は省略する。図１５では調整用錘２４の図示を省略している。
図１４および図１５に示す第２の例のゴルフクラブヘッド５０は、図１〜図５に示すゴルフクラブヘッド１２に比して、フェース面３１のロフト角度θを変える角度調整部を有する点が異なり、それ以外の構成は同じである。
【００４９】
図１４に示すフェース面部３０は、ヘッド本体２０に対して取り外し可能に設けられており、フェース面部３０は交換可能である。ロフト角度θ毎に、複数のフェース面部３０が用意されており、ロフト角度θに応じたフェース面部３０が設けられている。
フェース面部３０は、図１５に示すように、ヘッド本体２０の張出部３２および平坦部３４と同じ形状のフェース部３０ａと、フェース部３０ａの各端に設けられた折曲部３０ｂとを有する。折曲部３０ｂには、平坦部３４の側面３４ａに形成されたねじ穴３４ｂと整合する位置に穴３０ｃが設けられている。フェース部３０ａは、ロフト角度θに応じた角度に形成されている。フェース面３１の下端３１ｃから頂部３１ｄに向かうにつれて薄くなっている。
【００５０】
フェース面部３０は、図１４に示すように、折曲部３０ｂが平坦部３４の側面３４ａ上に重ねられて、穴３０ｃとねじ穴３４ｂが位置合せされてねじ４５により、フェース面部３０はヘッド本体２０の端面２０ａに接した状態でヘッド本体２０に固定される。この場合、フェース面部３０のフェース面３１のロフト角度θは、所定の角度となる。上述のように、予め定められたロフト角度θを有するフェース面部３０をヘッド本体２０に取り付けることにより、ロフト角度θを変えることができる。
上述の取り外し可能で、かつロフト角度θ毎に用意されたフェース面部３０で、フェース面３１のロフト角度θを変える角度調整部が構成される。フェース面部３０としては、例えば、０°〜７°の範囲で、１°刻みに用意する。
なお、ロフト角度θが０°の場合、ヘッド本体２０の端面２０ａをフェース面３１としてもよい。
ゴルフクラブヘッド５０では、上述のゴルフクラブ１０およびゴルフクラブヘッド１２と同じく、ライ角γ、オフセット距離および慣性モーメントを、それぞれ独立して個別に調整することができ、さらにはロフト角度θも独立して個別に調整することができる。
ゴルフクラブヘッド５０でも、回転子４０を交換することにより、１つのゴルフクラブにおいて右打ち用または左打ち用に、容易に変更することができる。
【００５１】
（ゴルフクラブヘッドの第３の例）
ゴルフクラブヘッド１２は、上述の構成に限定されるものではない。次に、ゴルフクラブヘッドの第３の例について説明する。
図１６は本発明の実施形態のゴルフクラブのゴルフクラブヘッドの第３の例を示す側面図であり、図１７は本発明の実施形態のゴルフクラブのゴルフクラブヘッドの第３の例を示す分解斜視図である。
図１６および図１７に示す第３の例のゴルフクラブヘッド５１は、図１〜図５に示すゴルフクラブヘッド１２に比して、フェース面３１のロフト角度θを変える角度調整部を有する点が異なり、それ以外の構成は同じである。
ゴルフクラブヘッド５１は、第２の例のゴルフクラブヘッド５０とは異なりフェース面部６０が交換可能ではなく、フェース面３１の頂部３１ｄを起点として、フェース面部６０のソール３７側がヘッド本体２０の逆方向に移動可能である。
【００５２】
フェース面部６０は、図１６および図１７に示すように、ヘッド本体２０の張出部３２および平坦部３４と同じ形状のフェース部６０ａと、フェース部６０ａの各端に設けられた折曲部６０ｂと、フェース部６０ａの底面に設けられた折曲部６０ｃとを有する。折曲部６０ｂには、平坦部３４の側面３４ａに形成されたねじ穴３４ｂに螺合される固定ねじ６２（図１６参照）が挿通される穴６０ｄが設けられている。ソール３７に形成されたねじ穴（図示せず）に螺合される固定ねじ（図示せず）が挿通される穴６０ｄが、折曲部６０ｃに設けられている。穴６０ｄは長穴であり、フェース面部６０の移動を許容する。フェース面部６０のスライド量に応じた長さを有する。
【００５３】
フェース面部６０は、図１６に示すように、折曲部６０ｂが平坦部３４（図１７参照）の側面３４ａ（図１７参照）上に重ねられて、穴６０ｄとねじ穴３４ｂ（図１７参照）が位置合せされ、ねじ穴３４ｂに固定ねじ６２が設けられる。折曲部６０ｃも、穴６０ｄとソール３７に形成されたねじ穴（図示せず）が位置合せされ、ねじ穴に固定ねじ（図示せず）が螺合される。
これにより、フェース面部６０はヘッド本体２０に対して固定ねじ６２で固定される。この場合、フェース面部６０のフェース面３１のロフト角度θは、所定の角度となる。固定ねじ６２による固定を解除し、フェース面部６０を、頂部３１ｄを起点として回転させて、固定ねじ６２で再度固定することにより、ロフト角度θを変えることができる。フェース面部６０のフェース面３１のロフト角度θは、例えば、０°〜７°の範囲で変えることができる。この場合、フェース面部６０のスライド量は、ロフト角度θの０°〜７°の範囲に応じて決定される。穴６０ｄの長さがロフト角度θの０°〜７°の範囲に応じて決定される。
ゴルフクラブヘッド５１では、上述のゴルフクラブ１０およびゴルフクラブヘッド１２と同じく、ライ角γ、オフセット距離および慣性モーメントを、それぞれ独立して個別に調整することができ、さらにはロフト角度θも独立して個別に調整することができる。
ゴルフクラブヘッド５１でも、回転子４０を交換することにより、１つのゴルフクラブにおいて右打ち用または左打ち用に、容易に変更することができる。
【００５４】
（ゴルフクラブヘッドの第４の例、第５の例）
図１６に示すゴルフクラブヘッド５１では、ロフト角度θが大きくなると、フェース面部６０とヘッド本体２０の端面２０ａとの間に隙間６１が生じる。このため、フェース面部６０を、より強固に固定するために、図１８に示す第４の例のゴルフクラブヘッド５２のように、フェース部６０ａとヘッド本体２０の端面２０ａとの隙間６１にシム６４を設けてもよい。なお、図１８に示すゴルフクラブヘッド５２は、図１６に示すゴルフクラブヘッド５１に比してシム６４を設ける点以外は、同じ構成である。
シム６４は、例えば、ＰＯＭ（ポリアセタール）等のエンジニアリングプラスチック、ウレタン、アルミニウム、アルミニウム合金、鉄、鋼、ステンレス鋼等で構成される。
【００５５】
上述のゴルフクラブヘッド１２、ゴルフクラブヘッド５０、ゴルフクラブヘッド５１およびゴルフクラブヘッド５２は、いずれもマレットタイプであったが、これに限定されるものではなく、図１９に示す第５の例のゴルフクラブヘッド５３のように、ヘッド本体２１に板状部３８が設けられていないピンタイプの構成でもよい。図１９に示すゴルフクラブヘッド５３においても、調整用錘２４を用いた慣性モーメントの調整、ライ角γ（図１参照）の調整、ロフト角度θ（図３参照）の調整およびオフセット距離の調整を、それぞれ独立して個別にすることができる。図１９に示すゴルフクラブヘッド５３においても上述のゴルフクラブヘッド１２およびゴルフクラブヘッド５０と同様の効果を得ることができる。
【００５６】
上述のゴルフクラブヘッド１２、ゴルフクラブヘッド５０、ゴルフクラブヘッド５１、ゴルフクラブヘッド５２およびゴルフクラブヘッド５３において、フェース面３１は、例えば、金属光沢を有する平滑な平面であるが、これに限定されるものではない。フェース面３１は、例えば、エンドミル等を用いたミーリング加工が施されたものでもよい。ミーリング加工が施されたフェース面３１には無数の突起が形成される。ミーリング加工が施されたフェース面３１は、無数の突起により打感が増し、かつ無数の突起によりフェース面３１とゴルフボールとの摩擦が増し、打球の方向安定性が増す。
なお、上述のゴルフクラブヘッド１２、ゴルフクラブヘッド５０、ゴルフクラブヘッド５１、ゴルフクラブヘッド５２およびゴルフクラブヘッド５３は、いずれにおいてもライ角γ、オフセット距離および慣性モーメントを、それぞれ独立して個別に調整することができ、さらにはロフト角度θも独立して個別に調整することができる構成であるが、少なくとも上述のオフセット調整部８０を有し、オフセット距離を調整することができる構成であればよい。
【００５７】
上述のゴルフクラブヘッド１２、ゴルフクラブヘッド５０、ゴルフクラブヘッド５１、ゴルフクラブヘッド５２およびゴルフクラブヘッド５３において、太いグリップ１５と組み合せることにより、ヘッドの質量が重くてもゴルフボールを打撃する際のストロークを安定させることができる。なお、ゴルフクラブシャフト１４の長さは、特に限定されるものではなく、３２インチ〜３５インチ程度である。
ゴルフクラブシャフト１４については、シャフトの長さが固定されているものであっても、シャフトの長さが可変するものであってもよく、特に限定されるものではない。シャフトの長さが可変するものとしては、例えば、図２０および図２１に示すものがある。シャフトの長さが可変するものは、例えば、３２インチ〜３５インチ程度の範囲に長さを調整できるものである。
【００５８】
図２０は本発明の実施形態のゴルフクラブのゴルフクラブシャフトを示す模式的分解斜視図であり、図２１は本発明の実施形態のゴルフクラブのゴルフクラブシャフトを示す模式的斜視図である。
図２０および図２１に示すゴルフクラブシャフト１４は、テレスコピック構造である。ゴルフクラブシャフト１４は、グリップ１５（図１参照）が取り付けられる、筒状のグリップ部１２０と、グリップ部１２０の内部１２０ｃに設けられる、筒状のシャフトサポート部１２２と、シャフトサポート部１２２の内部に設けられる、筒状のシャフト部１２４と、シャフト部１２４をシャフトサポート部１２２に固定するためのロックナット１２６と、シャフト部１２４の回転を抑制するストッパーピン１２８とを有する。
【００５９】
グリップ部１２０には、軸線と直交する方向に貫通する穴１２０ａが設けられている。穴１２０ａにストッパーピン１２８が挿入される。
シャフトサポート部１２２には、先端部１２２ａに、軸線と直交する方向に貫通する溝１２２ｂが設けられている。溝１２２ｂの基部におねじ部１２２ｃが設けられている。
シャフト部１２４には、基部１２４ｃにストッパーリング１２４ｂが設けられている。また、基部１２４ｃには軸線と直交する方向に貫通する、長さ調整溝１２４ａが設けられている。ストッパーリング１２４ｂを向けて、シャフト部１２４がシャフトサポート部１２２の内部に挿入される。シャフト部１２４の先端部１２４ｄがホーゼル４１の穴部４８ｄに挿入されて、ゴルフクラブヘッドに取り付けられる。
ロックナット１２６には、内部にシャフトサポート部１２２のおねじ部１２２ｃと螺合するめねじ部（図示せず）が設けられている。めねじ部は、先端１２６ａの方が基端１２６ｃよりも径が小さいテーパー状に構成されており、ロックナット１２６をおねじ部１２２ｃと螺合すると、溝１２２ｂが狭くなりシャフト部１２４がシャフトサポート部１２２に固定される。
【００６０】
ストッパーピン１２８を、グリップ部１２０の穴１２０ａ、シャフトサポート部１２２の溝１２２ｂおよびシャフト部１２４の長さ調整溝１２４ａに通した状態で、図２１に示すように、シャフトサポート部１２２のおねじ部１２２ｃにロックナット１２６を螺合させることにより、シャフト部１２４が回転することなく、所定の長さで固定され、ゴルフクラブシャフト１４を所定の長さにすることができる。
ゴルフクラブシャフト１４では、ロックナット１２６を緩めて、シャフト部１２４をシャフトサポート部１２２に対して出し入れして、シャフト部１２４のシャフトサポート部１２２に対する突出量を変えることにより、ゴルフクラブシャフト１４の長さを調整することができる。
なお、シャフト部１２４に目盛を設けることにより、正確にゴルフクラブシャフト１４の長さを調整することができる。ゴルフクラブシャフト１４において、シャフトの長さが可変するものとしては、上述のテレスコピック構造に限定されるものではない。
【００６１】
本発明は、基本的に以上のように構成されるものである。以上、本発明のゴルフクラブヘッドおよびゴルフクラブについて詳細に説明したが、本発明は上述の実施形態に限定されず、本発明の主旨を逸脱しない範囲において、種々の改良または変更をしてもよいのはもちろんである。
【符号の説明】
【００６２】
１０  ゴルフクラブ
１２、５０、５１、５２、５３  ゴルフクラブヘッド
１４  ゴルフクラブシャフト
１５  グリップ
２０、２１  ヘッド本体
２２  ホーゼル部
２４  調整用錘
２５  蓋
３０  フェース面部
３０ａフェース部
３０ｂ  折曲部
３０ｃ  穴
３１  フェース面
３１ｂ  バックフェース
３２  張出部
３４  平坦部
４０  回転子
４１  ホーゼル
Ｂ  水平面
Ｆ  距離
Ｓ  シャフト軸
γ  ライ角
θ  ロフト角度
【図１】
2019097722.tif 000003
【図２】
2019097722.tif 000004
【図３】
2019097722.tif 000005
【図４】
2019097722.tif 000006
【図５】
2019097722.tif 000007
【図６】
2019097722.tif 000008
【図７】
2019097722.tif 000009
【図８】
2019097722.tif 000010
【図９】
2019097722.tif 000011
【図１０】
2019097722.tif 000012
【図１１】
2019097722.tif 000013
【図１２】
2019097722.tif 000014
【図１３】
2019097722.tif 000015
【図１４】
2019097722.tif 000016
【図１５】
2019097722.tif 000017
【図１６】
2019097722.tif 000018
【図１７】
2019097722.tif 000019
【図１８】
2019097722.tif 000020
【図１９】
2019097722.tif 000021
【図２０】
2019097722.tif 000022
【図２１】
2019097722.tif 000023
【国際調査報告】
2019097722.tif 000024
2019097722.tif 000025
2019097722.tif 000026
2019097722.tif 000027